(57)【要約】【課題】光源ユニットにおいて電線を取付部材に固定する作業を容易に行うことができる照明器具を提供する。【解決手段】光源部５１と、前記光源部５１が取り付けられるベース部材４２と、前記光源部５１に配線６３を介して給電する電源装置６１とを有する光源ユニット４１と、前記光源ユニット４１を保持する本体ユニット２１と、を備える照明器具１１であって、前記本体ユニット２１は、取付金具３１を有し、前記ベース部材４２は、光源取付部４２ａを有し、当該光源取付部４２ａの一方面側に前記光源部５１が取り付けられ、他方面側に前記取付金具３１に着脱可能な取付バネ７１が取り付けられ、前記取付バネ７１は、前記配線６３を前記ベース部材４２の他方面に沿って保持する保持部７７を有する。【選択図】図１８
2019160532.tif 000002
【特許請求の範囲】
【請求項１】
光源部と、前記光源部が取り付けられる取付部材と、前記光源部に配線を介して給電する電源部とを有する光源ユニットと、
前記光源ユニットを保持する本体ユニットと、を備える照明器具であって、
前記本体ユニットは、取付金具を有し、
前記取付部材は、光源取付部を有し、当該光源取付部の一方面側に前記光源部が取り付けられ、他方面側に前記取付金具に着脱可能な取付バネが取り付けられ、
前記取付バネは、前記配線を前記取付部材の他方面に沿って保持する保持部を有する、照明器具。
【請求項２】
前記光源部は、複数のＬＥＤが配置された長尺状の基板であり、
前記複数のＬＥＤは、前記基板の長手方向に沿って配置され、
前記保持部は、前記基板の短手方向において前記複数のＬＥＤよりも基板の短手方向端部に近い位置に設けられる、請求項１に記載の照明器具。
【請求項３】
前記基板の一方面側には、前記基板の長手方向の少なくとも一方の端部に前記配線が電気的に接続されるコネクタが設けられ、
前記コネクタは、前記基板の短手方向において前記複数のＬＥＤとは異なる位置に配置され、
前記保持部は、前記基板の短手方向において前記コネクタに対応した位置に設けられる、請求項２に記載の照明器具。
【請求項４】
光源部と、
前記光源部が取り付けられる取付部材と、
前記光源部に配線を介して給電する電源部とを有する光源ユニットであって、
前記取付部材は、光源取付部を有し、当該光源取付部の一方面側に前記光源部が取り付けられ、他方面側に照明器具の本体ユニットに着脱可能な取付バネが取り付けられ、
前記取付バネは、前記配線を前記取付部材の他方面に沿って保持する保持部を有する、光源ユニット。
【発明の詳細な説明】
【技術分野】
【０００１】
本発明は、光源ユニット、および照明器具に関する。
【背景技術】
【０００２】
近年、低消費電力、長寿命などの利点を有するＬＥＤ（Ｌｉｇｈｔ  Ｅｍｉｔｔｉｎｇ  Ｄｉｏｄｅ：発光ダイオード）を光源として用いた照明器具が種々提案されている。
【０００３】
例えば、特許文献１には、ＬＥＤ基板と、ＬＥＤ基板が取り付けられる取付部材と、ＬＥＤ基板を覆うようにして取付部材に取り付けられるカバー部材と、を備えた光源ユニットを有する照明器具が開示されている。具体的には、特許文献１の照明器具においては、取付部材が長尺且つ矩形板状に形成された底面部と、底面部の幅方向における両側から底面部と直交する方向に突出する一対の側面部とで形成される。そして、一方の側面部の外表面には凸部が設けられており、凸部の裏側には少なくとも電源装置に接続された電線が配置される溝が設けられている。これにより、電源装置や光源ユニットに接続された電線を取付部材に固定する際には、凸部の裏側に設けた溝に上記電線を沿わせることで上記電線を仮保持させることができるので、上記電線を手で押さえた状態で取付部材に固定する場合に比べて、作業性が向上する。
【先行技術文献】
【特許文献】
【０００４】
【特許文献１】特開２０１４−７８４２７号公報
【発明の概要】
【発明が解決しようとする課題】
【０００５】
しかしながら、特許文献１に開示された照明器具では、電線を側面部の凸部の裏側に設けた溝に沿わせた状態で、取付部材をカバー部材に組み付けるため、電線を取付部材に固定する作業が煩雑であった。
【０００６】
そこで、本発明は、上記課題に鑑みてなされたものであり、光源ユニットにおいて電線を取付部材に固定する作業を容易に行うことができる光源ユニット、および照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
光源部と、前記光源部が取り付けられる取付部材と、前記光源部に配線を介して給電する電源部とを有する光源ユニットと、
前記光源ユニットを保持する本体ユニットと、を備える照明器具であって、
前記本体ユニットは、取付金具を有し、
前記取付部材は、板状の光源取付部を有し、当該光源取付部の一方面側に前記光源部が取り付けられ、他方面側に前記取付金具に着脱可能な取付バネが取り付けられ、
前記取付バネは、前記配線を前記取付部材の他方面に沿って保持する保持部を有するものである。
【０００９】
本願に開示する照明器具において、
前記光源部は、複数のＬＥＤが配置された長尺状の基板であり、
前記複数のＬＥＤは、前記基板の長手方向に沿って配置され、
前記保持部は、前記基板の短手方向において前記複数のＬＥＤよりも基板の短手方向端部に近い位置に設けられることが好ましい。
【００１０】
本願に開示する照明器具において、
前記基板の一方面側には、前記基板の長手方向の少なくとも一方の端部に前記配線が電気的に接続されるコネクタが設けられ、
前記コネクタは、前記基板の短手方向において前記複数のＬＥＤとは異なる位置に配置され、
前記保持部は、前記基板の短手方向において前記コネクタに対応した位置に設けられることが好ましい。
【００１１】
本願に開示する光源ユニットは、
光源部と、
前記光源部が取り付けられる取付部材と、
前記光源部に配線を介して給電する電源部とを有する光源ユニットであって、
前記取付部材は、光源取付部を有し、当該光源取付部の一方面側に前記光源部が取り付けられ、他方面側に照明器具の本体ユニットに着脱可能な取付バネが取り付けられ、
前記取付バネは、前記配線を前記取付部材の他方面に沿って保持する保持部を有するものである。
【発明の効果】
【００１２】
本発明によれば、取付部材に配線を固定する際に、取付バネの保持部により配線を保持するだけでよいので、配線を固定する作業を容易に行うことができる。また、配線の位置を取付部材に沿って固定できるので、配線が取付部材から浮いた状態になることを防ぎ、引っ掛かることによる断線リスクを低減できる。
【図面の簡単な説明】
【００１３】
【図１】本発明の実施形態に係る照明器具を斜め下方から見た斜視図。
【図２】同じく照明器具を下方から見た平面図。
【図３】本体ユニットを示す斜視図。
【図４】光源ユニットを示す斜視図。
【図５】図２に示す照明器具（本体ユニットと光源ユニットを分離した状態）を示すＡ−Ａ線断面図。
【図６】図２におけるＢ−Ｂ線断面図。
【図７】取付金具を示す図であり、（ａ）は斜視図、（ｂ）は平面図、（ｃ）は側面図。
【図８】取付金具の変形例を示す側面図。
【図９】取付バネを示す図であり、（ａ）（ｂ）は斜視図、（ｃ）は側面図。
【図１０】本体ユニットの下方に配置した光源ユニットを示す断面図。
【図１１】光源ユニットのフック部を本体ユニットの引掛部に引掛けた状態を示す断面図。
【図１２】光源ユニットを略水平に保持した状態を示す断面図。
【図１３】光源ユニットを本体ユニットに取り付けた状態を示す図。
【図１４】取付バネの変形例を示す斜視図。
【図１５】凹部の変形例を示す斜視部。
【図１６】光源ユニットを分解して示す分解斜視図。
【図１７】図１６における光源部の一部を拡大して示す部分拡大斜視図。
【図１８】（ａ）は取付バネの保持部により配線を保持した状態を示す上面図、（ｂ）は（ａ）におけるＣ−Ｃ線断面図。
【図１９】図１８（ａ）におけるＹ矢視図。
【図２０】エンドキャップを示す斜視図。
【図２１】エンドキャップのガイド部に配線を配置した状態を示す断面図。
【図２２】取付金具の変形例を示す斜視図。
【図２３】取付バネの変形例を示す斜視図。
【発明を実施するための形態】
【００１４】
本発明の実施形態に係る照明器具１１について、図１から図２１を用いて説明する。本実施形態に係る照明器具１１は、ＬＥＤ５３を光源とする照明器具である。照明器具１１は、例えば天井面や壁面等の取付面（本実施形態では、天井面Ｃ）に直付けされるベースライトである。照明器具１１の外形は、図２に示すように、平面視において短手方向の長さに対して長手方向の長さの比率が大きい細長い形状である。以下の説明では、照明器具１１の光を照射する側を照明器具１１の照射面側とし、照明器具１１における天井面や壁面等の取付面に対向する側を照明器具１１の取付面側（照射面側の反対側）として説明する。また、照明器具１１において、図１、図３から図６、図１０から図１３、図１９、図２１における上下方向を、照明器具１１の「上下方向」として説明する。また、本実施形態の説明において、下方から照明器具１１等を視た状態を平面視とする。上下方向に対して直交方向から照明器具１１等を視た状態を側面視とする。照明器具１１等の断面形状を視た状態を断面視とする。
なお、照明器具１１の形状は、本実施形態に示すような細長い形状に限らず、平面視における形状が円形形状やスクエア形状であってもよい。
また、本実施形態に係る照明器具１１は、天井面Ｃに直付けする天井直付け型の照明器具であるが、特に限定するものでない。例えば、天井面等に埋め込んで取り付ける埋込型照明器具であってもよい。
【００１５】
照明器具１１は、照明器具１１の器具本体となる本体ユニット２１と、光源ユニット４１と、を備える。
【００１６】
本体ユニット２１は、平面視において細長い長方形状であり、断面視において略台形状である。本体ユニット２１は、図３に示すように照射面側（下側）に本体ユニット２１の短手方向の中央部に、長手方向に沿って溝状に延出される凹部２２を有する。凹部２２は、断面略Ｕ字状であり、上面部（底面部）２２ａと、該上面部２２ａの短手方向の両端から下方に延設され、互いに対向する一対の側壁部２２ｂとを有する。上面部２２ａは、取付部材（例えば、ボルト・ナット等）により天井面Ｃに近接して取り付けられる部分である。本体ユニット２１は、光源ユニット４１が凹部２２に取り付けられた状態で、光源ユニット４１を照射面側に保持する部材である。
【００１７】
本体ユニット２１は、凹部２２、該凹部２２の側壁部２２ｂの下端部から斜め上方に延設される傾斜面部２５、該傾斜面部２５の上端部から上方に延設される側壁部２４、及び本体ユニット２１の長手方向の両端に配置され、凹部２２と傾斜面部２５の長手方向の両端を閉塞するエンド部材２６、端子台６２及び取付金具３１を有している。本体ユニット２１は、凹部２２とエンド部材２６とにより形成される、細長い長方形状の開口を有する有底箱状の空間を有している。
なお、本実施形態においては、本体ユニット２１の照射面側に一つの凹部２２を有する構成であるが、特に限定するものではない。例えば、複数の光源ユニット４１を取付けるために本体ユニットの照射面側に複数の凹部を有する構成としてもよい。
また、上面部２２ａ、側壁部２２ｂ、傾斜面部２５、及び側壁部２４は、一体成形される。また、上面部２２ａと側壁部２２ｂと傾斜面部２５と側壁部２４とで一体成形された部材と、エンド部材２６とは、別部材で構成される。
また、上面部２２ａ、側壁部２２ｂ、傾斜面部２５、及び側壁部２４と、エンド部材２６とは、一体成形されてもよい。
【００１８】
傾斜面部２５は、光源ユニット４１が本体ユニット２１に取り付けられた際に光源ユニット４１に隣接する部分であり、傾斜面部２５の照射面側表面が光源ユニット４１から出射された光を下方や側方に向けて反射する光反射面となる。
【００１９】
本体ユニット２１を構成する材料としては、例えば熱伝導率の高いアルミニウムやアルミニウム合金、鉄や鉄合金等の金属材料が挙げられる。本体ユニット２１は、光源ユニット４１を保持可能な耐久性と、光源ユニット４１が発する熱を放熱させるための熱伝導性とを考慮し、鉄合金等の金属材料を用いて形成されている。本体ユニット２１は、例えば、板金（本実施形態では、鉄合金製の板金）を屈曲して加工することよりにより形成されている。なお、本体ユニット２１は、光源ユニット４１を保持可能な耐久性及び必要な放熱性が確保できる材料であれば、鉄合金などの金属に限らず、樹脂などの他の材料、もしくはそれらの組み合わせで形成することができる。
なお、エンド部材２６を樹脂材料で成形し、他の部材を金属材料で形成してもよい。これにより、照明器具の軽量化及びコストダウンを図ることができる。
【００２０】
凹部２２は、光源ユニット４１の上端側（例えば、光源部５１のＬＥＤ５３を点灯させるための電源装置６１等）を収容する部分である。凹部２２は、光源ユニット４１の上端側が凹部２２に取り付けられた際に、凹部２２内に電源装置６１、端子台６２、配線等を収容するための高さ（深さ）及び幅が確保されている。凹部２２には、凹部２２の長手方向の中途部の複数箇所（本実施形態では、２箇所）に後述する光源ユニット４１の取付バネ７１を取り付けるための取付金具３１が設けられている（図５参照）。凹部２２の上面部２２ａには、光源ユニット４１の長手方向の中央近傍に貫通孔２７が形成されており、天井面Ｃの内側に配置された外部電源から延出される電源線（図示せず）が挿通される。
【００２１】
端子台６２は、上面部２２ａの照射面側に取り付けられている。端子台６２は、凹部２２内において取付金具３１と貫通孔２７との間に配置されている。端子台６２には、電源線が接続される。
【００２２】
取付金具３１は、本体ユニット２１の凹部２２内に配置される。取付金具３１は、光源ユニット４１が有する取付バネ７１を取付可能である。取付金具３１は、断面視略矩形状（略Ｕ字状）の金属製の部材である（図７（ｃ）等参照）。取付金具３１は、凹部２２の上面部２２ａの照射面側に取り付けられる。取付金具３１は、本体ユニット２１の上面部２２ａの長手方向の中央に設けられた貫通孔２７を中心に対向し、貫通孔２７から等間隔離間した位置に配置される。
なお、上記のように、本実施形態では、一対の取付金具３１が貫通孔２７を中心に対向し、貫通孔２７から等間隔離間した位置に配置されるが、これは一例であり、取付金具３１は本体ユニット２１の上面部２２ａの長手方向の任意の位置に配置することができる。
【００２３】
図７に示すように、取付金具３１は、延出部３２と、延出部３２に対向して配置される第２被係合部３３と、連結部３４とを有している。連結部３４は、略板状であり、延出部３２と、第２被係合部３３とを連結する。連結部３４には複数（本実施形態では２つ）の貫通孔３５が形成される。取付金具３１は、貫通孔３５を介して凹部２２の上面部２２ａに向かってビスを螺合することにより、凹部２２に取り付けられる。
【００２４】
延出部３２は、連結部３４の一端から連結部３４の延出方向の外側に延出される部分であり、引掛部３６と、第１被係合部３７を有している。引掛部３６は、取付バネ７１のフック部７２を引っ掛ける部分である。第１被係合部３７は、取付バネ７１の第１係合部７２ｃが係合される部分である。
【００２５】
引掛部３６は、略板状で側面視略Ｕ字状であり、連結部３４の一端から略垂直に延出されている。第１被係合部３７は、略板状であり、引掛部３６よりも連結部３４の延出方向の外側に切り起こして形成されている。すなわち、第１被係合部３７は、引掛部３６に開口形成される略Ｕ字状の貫通孔３８の上縁から連結部３４の延出方向の一端から外側に張り出すように形成されている。第１被係合部３７は、張出部３７ａと、基部３７ｂと、屈曲部３７ｃを有している。張出部３７ａは、略板状であり、連結部３４の一端より引掛部３６の外側に延出されている。基部３７ｂは、略板状であり、張出部３７ａの一端から略垂直に延出されている。屈曲部３７ｃは、屈曲した板状であり、基部３７ｂの先端部から延設され、第１被係合部３７に対向する第２被係合部３３側に向けて突出する断面視略Ｖ字状の部分である。屈曲部３７ｃは、先端部が第２被係合部３３側に向かって斜め下方に延出される、略板状の傾斜面３７ｄを有している。屈曲部３７ｃには、取付バネ７１の第１係合部７２ｃが係合される。
【００２６】
第２被係合部３３は、基部３３ａと、屈曲部３３ｂを有している。基部３３ａは、略板状であり、連結部３４の他端から略垂直に延出されている。屈曲部３３ｂは、屈曲した板状であり、基部３３ａの先端部から延設され、第２被係合部３３に対向する延出部３２側に向けて突出する断面視略Ｖ字状の部分である。屈曲部３３ｂは、先端部が延出部３２側に向かって斜め下方に延出される、略板状の傾斜面３３ｃを有している。屈曲部３３ｂには、取付バネ７１の第２係合部７３が係合される。
なお、延出部３２と第２被係合部３３は、上縁側のみで連結部３４によって連結され、下縁側は離間している。これにより、第２被係合部３３の先端側は自由端で、基端側のみが固定される固定端となるので、第２被係合部３３の弾性変形を阻害しない。加えて、本実施形態の取付バネ７１は、当該下縁側を連結する構造に比べて使用する材料が少なく済みコストダウンになるとともに、加工が容易なので、製造しやすい。
【００２７】
また、図８には、取付金具３１の変形例として取付金具３１Ａを示している。取付金具３１Ａは、取付金具３１において第２被係合部３３の引掛部３６と対向する側に、先端部に傾斜面３９ａを有する傾斜延出部３９をさらに設ける構成としている。このように構成することで、本体ユニット２１に光源ユニット４１を取り付ける際に、取付バネ７１の第２係合部７３を傾斜面３９ａに接触させることで、第２係合部７３を取付金具３１の第２被係合部３３に案内し、光源ユニット４１を本体ユニット２１の正規の位置へ案内することができる。
【００２８】
図５に示すように、光源ユニット４１は、取付部材であるベース部材４２、光源部（ＬＥＤモジュール基板）５１、電源部である電源装置６１、取付バネ７１、セード８１、一対のエンドキャップ９１を主に備える。
【００２９】
ベース部材４２は、照射面側に光源部（ＬＥＤモジュール基板）５１及びセード８１を保持し、取付面側に電源装置６１、取付バネ７１を保持する部材である。ベース部材４２は、長尺の金属製の板状部材である。ベース部材４２は、光源部５１で発生した熱を吸収し、ベース部材４２の外側の空気に放出する放熱機能も有する。ベース部材４２は、その長手方向の寸法及び短手方向の寸法が前述した凹部２２と比べて、やや小さくなるように形成されている。
【００３０】
光源取付部４２ａは、光源部（ＬＥＤモジュール基板）５１が取り付けられる部分である。光源取付部４２ａは、ベース部材４２の照射面側（下側）の平面視長方形状の板状部分である。ベース部材４２は、光源部５１で発生した熱を吸収し、ベース部材４２の外側の空気に放出する放熱機能も有するため、光源部５１が当接される光源取付部４２ａは、光源部５１との接触面積が広くなるよう平坦に形成されている。
【００３１】
光源部５１は、照明器具１１の照射面側に向けて光を出射する部分である。光源部５１は、図６に示すように、モジュール基板である。光源部５１は、平板状（横長状）に加工された長尺状の基板５４上に、この基板５４の長手方向に点光源である複数のＬＥＤ５３が、等間隔かつ略直線状に基板上に並べられて配置されたものである（図１６参照）。複数のＬＥＤ５３は、基板５４の短手方向において略中央に配置されている。なお、本実施形態では光源として複数のＬＥＤ素子（表面実装タイプのＬＥＤ素子）を用いたが、これに限らず、ＣＯＢ型発光モジュールや有機ＥＬ素子などを用いてもよい。光源部５１は、光源取付部４２ａの照射面側に当接して配置され、ビス等の取付部材により取り付けられる。光源部５１は、配線６３によって電源装置６１と電気的に接続されている。
なお、光源部５１は、熱伝導性シート（図示せず）や放熱グリスを介して光源取付部４２ａに取り付けてもよく、これにより、より高い放熱性を得ることもできる。
【００３２】
図１６に示すように、基板５４の照射面側には、基板５４の長手方向の少なくとも一方の端部に配線６３が電気的に接続されるコネクタ６４が設けられている。コネクタ６４は、電源装置６１との間を配線６３を介して電気的に接続するためのものである。コネクタ６４に配線６３が接続されることで、基板５４と電源装置６１とが電気的に接続される。コネクタ６４は、基板５４の短手方向において複数のＬＥＤ５３とは異なる位置に配置されている。具体的には、コネクタ６４は、図１７に示すように、基板５４の短手方向（幅方向）の中心からずれた位置に設けられている。
なお、図１６、図１７においては、光源ユニット４１及び電源部５１の上下方向は紙面の上下方向とは逆になっている。
【００３３】
電源装置６１は、光源部５１が有するＬＥＤ５３に配線６３を介して給電を行って、ＬＥＤ５３を点灯させるための装置である。電源装置６１は、箱状の電源ケース内に直方形状に加工されたプリント配線板上に複数の電子部品が実装された電源回路が収容されたものである。電源装置６１は、光源取付部４２ａの取付面側におけるベース部材４２の長手方向の中央寄りに配置されている。電源装置６１は、外部電源から供給される交流電流を所定の直流電流に変換し、変換後の電流を基板５４に実装された複数のＬＥＤ５３に供給するためのものである。電源装置６１は、配線（図示せず）を介して本体ユニット２１の端子台６２に電気的に接続されている。
【００３４】
電源装置６１は、図５に示すように、電源装置６１は、光源取付部４２ａの貫通孔２７に対向する位置に配置されている。電源装置６１は、電源ケースの上面の一端部に傾斜面６１ａを備えている。当該傾斜面６１ａは、光源ユニット４１を本体ユニット２１に取り付けた際に貫通孔２７に対向する。電源装置６１に傾斜面６１ａを設けたことにより、光源ユニット４１を本体ユニット２１に取り付けた状態において、貫通孔２７と電源装置６１との間の空間を大きく確保できるため、貫通孔２７から挿通する外部電源の電源線の急角度な屈曲を防止でき、電源線の被覆損傷や断線を防止することができる。
【００３５】
照明器具１１を天井面Ｃに取り付ける際には、外部電源の電源線を貫通孔２７から引出して、本体ユニット２１が天井面Ｃに固定される。電源装置６１は、当該電源線が端子台６２に接続されることにより、外部電源と電気的に接続される。電源装置６１と光源部５１は配線によって電気的に接続されている。
【００３６】
取付バネ７１は、本体ユニット２１が有する取付金具３１に着脱可能である。取付バネ７１は、断面視略矩形状（略Ｕ字状）で弾性を有する金属製の部材である（図９参照）。取付バネ７１は、例えば、金属製の板バネである。取付バネ７１は、光源取付部４２ａの取付面側に取り付けられる。取付バネ７１は、光源取付部４２ａの取付面側の長手方向の中央部を中心に対向し、中央部から等間隔離間した位置に配置される。すなわち、取付バネ７１は、本体ユニット２１の取付金具３１に対応した位置に配置される。
【００３７】
図９に示すように、取付バネ７１は、フック部７２と、フック部７２に対向して配置される第２係合部７３と、連結部７４とを有している。連結部７４は、略板状であり、フック部７２と第２係合部７３とを連結する。連結部７４には複数（本実施形態では２つ）のビス止め用の貫通孔７５が形成される。取付バネ７１は、貫通孔７５を介して光源取付部４２ａの取付面側からビスを螺合することにより、光源ユニット４１の取付面側に取り付けられる。
【００３８】
また、連結部７４には、任意の位置に貫通孔７６が形成される。貫通孔７６は、光源取付部（シャーシ）４２ａに基板５４をビスで固定した際に、光源取付部４２ａを貫通して取付面側に突出するビスの先端が連結部７４に干渉するのを防ぐためのものである。
【００３９】
また、図９に示すように、取付バネ７１の連結部７４には、上側（取付面側）に向かって凸状で側面視矩形状の保持部７７を有している。保持部７７は、例えば、電源装置６１からＬＥＤ５３が複数実装された基板５４に延びる二次側配線である配線６３を光源取付部４２ａの照射側面に沿って保持するものである（図１８（ａ）参照）。これにより、ベース部材４２に配線６３を固定する際に、取付バネ７１の保持部７７に配線６３を通して保持するだけでよいので、配線６３を固定する作業を容易に行うことができる。また、配線６３の位置をベース部材４２に沿って固定できるので、配線６３がベース部材４２から浮いた状態になることを防ぎ、引っ掛かることによる断線リスクを低減できる。この断線リスクを低減できる例としては、光源ユニット４１を本体ユニット２１に装着する際に、配線６３を光源ユニット４１と本体ユニット２１との間に挟んでしまうことによる断線を防止できる。さらには、光源ユニット４１を本体ユニット２１から外す際に、配線６３が本体ユニット２１の取付金具３１などに引っ掛かることによる断線を防止できる。また、ベース部材４２に取付バネ７１を取り付ける際に、同時に配線６３の固定ができるので、照明器具１１の組立作業性が向上する。
なお、保持部７７の形状は、配線６３が保持可能な形状であればよく、側面視矩形状以外の形状であってもよい。保持部７７の形状は、例えば、半円状、半楕円状、三角形状等であってもよい。
【００４０】
また、保持部７７の高さ寸法および幅寸法は、配線６３の太さ（外径）よりも僅かに大きいことが好ましい。これにより、配線６３に連続的な押圧力がかからないので、配線６３の被覆の損傷を防止できる。すなわち、保持部７７の寸法が配線６３よりも小さい場合、配線６３に押圧力がかかり続ける状態になり、被覆損傷のリスクがあるからである。
【００４１】
保持部７７は、基板５４の短手方向（幅方向）において複数のＬＥＤ５３よりも基板５４の短手方向端部に近い位置に設けられる。保持部７７は、基板５４の短手方向（幅方向）において複数のＬＥＤ５３からずれた位置に設けられる。具体的には、複数のＬＥＤ５３は、基板５４の短手方向（幅方向）の中心において基板５４の長手方向に沿って配置されている。すなわち、複数のＬＥＤ５３は、図１８（ａ）においてＣ−Ｃ線に沿って配置されている。これに対して、保持部７７は、取付バネ７１の幅方向の中心（Ｃ−Ｃ線）からずれた位置に設けられている。これにより、ベース部材の取付面側に配置される配線６３と、基板５４に配置される複数のＬＥＤ５３とが重ならないようにすることができるので、ＬＥＤ５３が発する熱がベース部材４２を介して配線６３に伝わりにくくすることができる。ひいては、配線６３の熱による劣化を防ぐことができる。
なお、基板５４上におけるＬＥＤ５３の幅方向位置は、中心に限らず、幅方向端部側に寄った位置であってもよい。その際、ＬＥＤ５３の幅方向位置と配線６３の幅方向位置とが表裏（照射面側と取付面側）で重ならないよう、偏心方向が互いに異なるように構成することが好ましい。
【００４２】
上述したように、基板５４には、基板５４の長手方向の少なくとも一方の端部に配線６３が電気的に接続されるコネクタ６４が設けられている。コネクタ６４は、基板５４の短手方向において複数のＬＥＤ５３が並んでいる位置とは異なる位置に配置される。また、保持部７７は、基板５４の短手方向においてコネクタ６４に対応した位置に設けられる。すなわち、基板５４の短手方向において保持部７７とコネクタ６４の位置を同じ位置とすることで、保持部７７とコネクタ６４との間に配置される配線６３が基板５４の長手方向に沿って略直線状になる。
このように、コネクタ６４を基板５４の短手方向において複数のＬＥＤ５３とは異なる位置に配置することで、基板５４の長手方向の端部までＬＥＤ５３を配置できるので、光源ユニット４１の長手方向の端部における光量を確保できる。また、ＬＥＤ５３が並んで配置されている基板５４の端部（ＬＥＤ列の端部）にコネクタ６４を設けた場合、最も端部に配置されるＬＥＤ５３とコネクタ６４との距離が近いため、コネクタ６４がＬＥＤ５３の配光範囲内（例えば配光角度１２０度）に入りやすくなり、コネクタ６４が隣接するＬＥＤ５３が発する光を遮り、セード８１に影が生じるおそれがある。本実施形態では、ＬＥＤ列の端部にコネクタ６４を設けず、ＬＥＤ列から幅方向にずれた位置にコネクタ６４を配置するため、ＬＥＤ５３とコネクタ６４との距離を長くすることができるため、コネクタ６４がＬＥＤ５３の配光範囲内（例えば配光角度１２０度）に入りにくくなり、セード８１に影が生じるおそれが少ない。また、保持部７７をコネクタ６４に対応する位置に設けたことで、配線６３を急角度で曲げて配置することがないため、配線６３の断線リスクを低減できる。
なお、本実施形態では、複数のＬＥＤ５３を基板５４の短手方向（幅方向）において中央に１列並べて構成しているが、例えば、基板５４の幅方向において任意の位置に複数列（２列、３列等）のＬＥＤ５３を並べて構成してもよい。この場合、その中心は複数列のＬＥＤ５３の幅方向中心になる。
【００４３】
フック部７２は、本体ユニット２１が有する取付金具３１の引掛部３６に引っ掛ける部分である。フック部７２は、当該引掛部３６に引掛けることで、本体ユニット２１に対して光源ユニット４１を仮吊りするためのものである。
ここで、「仮吊り」とは、例えば、本体ユニット２１に光源ユニットを取り付ける際に、配線接続又は修理点検等で光源ユニット４１を本体ユニット２１に一時的に吊下げた状態のことをいう。
【００４４】
フック部７２は、側面視鉤状であり、基部７２ａと、湾曲部７２ｂと、第１係合部７２ｃとを有している。基部７２ａは、略板状であり、連結部７４の一端から略垂直に延出されている。湾曲部７２ｂは、基部７２ａの先端部から延設され、側面視円弧状に湾曲した板状の部分である。第１係合部７２ｃは、屈曲した板状であり、湾曲部７２ｂの先端部から延設され、第１係合部７２ｃに対向する基部７２ａ側に向けて突出する断面視略Ｖ字状の部分である。第１係合部７２ｃは、先端部が延出部３２側に向かって斜め下方に延出される、略板状の傾斜面７２ｄと、当該先端部から延設され、基部７２ａから離間する方向に向かって斜め下方に延出される、略板状の傾斜面７２ｅを有している。第１係合部７２ｃは、取付金具３１の第１被係合部３７（屈曲部３７ｃ）に係合する。
【００４５】
第１被係合部３７にフック部７２の第１係合部７２ｃが係合しているとき、当該第１係合部７２ｃの傾斜面７２ｄが第１被係合部３７の傾斜面３７ｄに当接して、取付バネ７１の下方の移動が規制される。同様に、第２被係合部３３に第２係合部７３が係合しているとき、第２係合部７３の傾斜面７３ｃが第２被係合部３３の傾斜面３３ｃに当接して、取付バネ７１の下方の移動が規制される。
【００４６】
また、図７（ｃ）に示すように、取付金具３１における傾斜面３３ｃの内側の先端部と傾斜面３７ｄの内側の先端部との間の長さ寸法（幅寸法）をＬ２とする。つまり、長さ寸法Ｌ２は、第２被係合部３３と第１被係合部３７の間で最も間隔が短い部分の寸法である。図９（ｃ）に示すように、取付バネ７１における後述する湾曲部７３ｂの中途部と湾曲部７２ｂの先端部との間の長さ寸法（幅寸法）をＬ１、後述する基部７３ａの先端部と傾斜面７２ｄの内側の先端部との間の長さ寸法（幅寸法）をＬ３とする。つまり、長さ寸法Ｌ１は、フック部７２と第２係合部７３の間で最も間隔が長い部分の寸法である。長さ寸法Ｌ３は、第１係合部７２ｃと第２係合部７３の間で最も間隔が短い部分の寸法である。上記Ｌ１、Ｌ２、Ｌ３の各寸法において、Ｌ３＜Ｌ２＜Ｌ１の条件を満たすことで、取付バネ７１が取付金具３１に係合する。
【００４７】
また、図９（ｃ）に示すように、第１係合部７２ｃの傾斜面７２ｅと基部７２ａの先端部との間の幅寸法をＬ４とし、図７（ｃ）に示すように、引掛部３６の厚さ寸法をＬ５とする。上記Ｌ４、Ｌ５の各寸法において、Ｌ５＜Ｌ４の寸法関係にすることで、引掛部３６をフック部７２に引っ掛けることができる。
【００４８】
第２係合部７３は、基部７３ａと、湾曲部７３ｂとを有している。基部７３ａは、略板状であり、連結部７４の他端から略垂直に延出されている。湾曲部７３ｂは、基部７３ａの先端部から延設され、第２係合部７３に対向するフック部７２側の反対側に向けて突出する側面視略円弧状の板状部分である。第２係合部７３は、取付金具３１の第２被係合部３３に係合する。
【００４９】
セード８１は、光源取付部４２ａに取り付けられた光源部５１の照射面側を覆うように取り付けられ、光源部５１からの光を透過及び拡散させて、出射面を形成する。セード８１は、長尺状で断面視略円弧状の部材である。セード８１は、長手方向の全長がベース部材４２の長手方向の全長と略同一である。セード８１は、透光性を有する半透明（例えば、乳白色）のアクリル樹脂素材等で形成される。
なお、セードの形状は、本実施形態の形状に限定するものではない。例えば、セードの断面形状を断面半円状、断面四角状、断面台形状に構成することもできる。
【００５０】
図１６に示すように、一対のエンドキャップ９１は、セード８１の長手方向の両端部に取り付けられる。一対のエンドキャップ９１は、セード８１の長手方向の一対の端部に形成された一対の開口を閉塞する。エンドキャップ９１は、セード８１と同じ素材で形成される。なお、エンドキャップ９１は、セード８１と異なる素材で形成されていてもよい。なお、図１８から図２１には、一対のエンドキャップ９１のうちの一方のエンドキャップ９１を示しているが、他方のエンドキャップ９１の構成は、一方のエンドキャップ９１の構成と同様であり、説明を省略する。
【００５１】
エンドキャップ９１は、図１９及び図２０に示すように、ベース部９２、延出部９３、及びガイド部９４を有する。ベース部９２は、有底状でセード８１の長手方向両端の開口部を覆う。延出部９３は、平板状であり、セード８１の長手方向の両端面に略直交する方向に延出している。延出部９３は、ベース部９２の上端から光源取付部４２ａの長手方向の端部の上面を覆うように延出される。ガイド部９４は、延出部９３の上面から上方に突出して設けられる。
【００５２】
ガイド部９４は、側面視略台形状で上方に延出される一対の側壁部９４ａと、一対の側壁部９４ａの背面側を連結する傾斜面部９４ｂと、一対の側壁部９４ａの上面側を連結する天面部９４ｃと、を有している。エンドキャップ９１により、ベース部材４２が組み付けられたセード８１の長手方向の両端の開口部を覆った際に、ガイド部９４により配線６３を配置可能な空間Ｓが形成される（図２１参照）。空間Ｓは、側壁部９４ａ、傾斜面部９４ｂ及び天面部９４ｃで囲まれた空間である。
【００５３】
図５に示すように、一対のエンドキャップ９１は、セード８１の長手方向の両端に取り付けられる。一対のエンドキャップ９１は、セード８１の長手方向の一対の端部に形成された一対の開口を閉塞する。また、本体ユニット２１に光源ユニット４１が取り付けられた状態の照明器具１１では、エンドキャップ９１は、エンド部材２６によって係止された状態となる。また、図６に示すように、照明器具１１は、セード８１の短手方向の両端部の一部が凹部２２に収容される。エンドキャップ９１は、セード８１と同じ素材で形成される。なお、エンドキャップ９１は、セード８１と異なる素材で形成されていてもよい。
【００５４】
次に、図１０から図１３を用いて、光源ユニット４１を本体ユニット２１に取り付ける手順を説明する。
先ず、作業者は、天井面Ｃに固定された本体ユニット２１に本体ユニット２１の下方から光源ユニット４１を取り付けるに際して（図１０参照）、光源ユニット４１が有する取付バネ７１のフック部７２の先端部（第１係合部７２ｃ）を、本体ユニット２１の取付金具３１の貫通孔３８に挿通して、引掛部３６にフック部７２を引掛ける（図１１参照）。この場合、光源ユニット４１は、取付バネ７１の第２係合部７３側が下側となるように傾斜した状態で本体ユニット２１の下方に吊られる（この状態を、仮吊り状態という）。
【００５５】
図１１に示す光源ユニット４１の仮吊り状態の際、作業者は光源ユニット４１を手で支えなくても光源ユニット４１の位置が安定するため、例えば、作業者は両手を使って外部電源の電源線を端子台６２に接続する作業を行うことができる。なお、端子台６２は、接続後の電源線が容易に抜けないように、電源線の太さよりも細い空隙を有する接続端子が備わり、比較的強い力で電源線を差し込まなければ接続できないように構成されていることが多い。したがって、端子台６２への電源線の接続は、作業者が両手を使って行うことが多い。このように光源ユニット４１を仮吊り状態にすることで、作業者が一人で光源ユニット４１の取付作業および電気的接続作業を行うことができる。これに対して、光源ユニットを仮吊り状態にできない照明器具の場合、一人の作業者が光源ユニットを手で持って落下しないように支えながら、もう一人の作業者が両手を使って電源線を端子台に接続する作業を行わないといけないため、作業者が少なくとも二人必要となり、作業効率が良くない。
【００５６】
次に、図１２に示すように、作業者は、光源ユニット４１の取付バネ７１の第２係合部７３側を持ち上げて、光源ユニット４１を略水平状態にする。それから、光源ユニット４１を略水平状態に保持したまま、光源ユニット４１を本体ユニット２１に向けて上方に押し上げる。そして、作業者は、取付バネ７１の第１係合部７２ｃを取付金具３１の第１被係合部３７に係合させるとともに、取付バネ７１の第２係合部７３を取付金具３１の第２被係合部３３に係合させる。つまり、第１係合部７２ｃ及び第２係合部７３は、光源ユニット４１を上方に移動させることで、第１被係合部３７及び第２被係合部３３に係合する。具体的には、第１係合部７２ｃ及び第２係合部７３が第１被係合部３７及び第２被係合部３３に係合する直前に湾曲部７３ｂが屈曲部３３ｂに当接し、湾曲部７２ｂが屈曲部３７ｃに当接する。その当接状態から光源ユニット４１を上昇させることで、湾曲部７３ｂが屈曲部３３ｂに沿って移動し、第２係合部７３が内側（フック部７２側）へ弾性変形する。同様に、湾曲部７２ｂが屈曲部３７ｃに沿って移動し、フック部７２が内側（第２係合部７３側）へ弾性変形する。湾曲部７３ｂが屈曲部３３ｂのＶ字部分を乗り越えると第２係合部７３が元の形状へ復帰し、傾斜面７３ｃが傾斜面３３ｃに当接する。同様に、湾曲部７２ｂが屈曲部３７ｃのＶ字部分を乗り越えるとフック部７２が元の形状に復帰し、傾斜面７２ｄが傾斜面３７ｄに当接する。これにより、光源ユニット４１は、その上端側が凹部２２に収容された状態で、凹部２２に取り付けられる（図１３参照）。
【００５７】
上述したように、第１係合部７２ｃ及び第２係合部７３が第１被係合部３７及び第２被係合部３３に係合する直前に湾曲部７３ｂが屈曲部３３ｂに当接し、湾曲部７２ｂが屈曲部３７ｃに当接する。この際に、湾曲状の湾曲部７３ｂが屈曲部３３ｂの傾斜面３３ｄ（図１２参照）に線接触し、湾曲状の湾曲部７２ｂが屈曲部３７ｃの傾斜面３７ｅ（図１２参照）に線接触する。これにより、例えば、互いに面同士で面接触する場合に比べて摩擦が少なく、スムーズに係合することができる。また、湾曲状の湾曲部７２ｂ及び湾曲部７３ｂは、湾曲状（凸状曲面状）に形成されているので、対応する傾斜面３７ｅ及び傾斜面３３ｄに対して光源ユニット４１の短手方向に多少移動しても傾斜面３７ｅ及び傾斜面３３ｄにより湾曲部７２ｂ及び湾曲部７３ｂが受けとめられる。すなわち、作業者が光源ユニット４１を把持した状態で、多少手先がぶれて光源ユニット４１がその短手方向に移動した場合であっても所定範囲で許容され、取付バネ７１を取付金具３１に係合することができる。
なお、「線接触」とは、正確に線状に接触している場合だけでなく、所定幅を有するが略線状に接触する場合も含む。
【００５８】
また、本体ユニット２１と光源ユニット４１とは、図１３に示す状態のときに、傾斜面３７ｄに傾斜面７２ｄが当接し、傾斜面３３ｃに傾斜面７３ｃが当接している。また、図１３に示す状態のとき、光源ユニット４１の重量では、湾曲部７２ｂが屈曲部３７ｃのＶ字部分を乗り越えることができず、フック部７２が内側（第２係合部７３側）に弾性変形しない。同様に、湾曲部７３ｂが屈曲部３３ｂのＶ字部分を乗り越えるができず、第２係合部７３が内側（フック部７２側）へ弾性変形しない。これにより、光源ユニット４１の重量だけでは、取付バネ７１が取付金具３１から外れることがなく、光源ユニット４１は本体ユニット２１に安定して保持される。
【００５９】
また、光源ユニット４１を本体ユニット２１から取り外す場合は、作業者は、例えば図１３に示す光源ユニット４１（セード８１）の短手方向の両端部を把持して、下方（離間する方向）に引っ張り出すことで、第１係合部７２ｃ及び第２係合部７３のそれぞれを第１被係合部３７及び第２被係合部３３から外して係合を解除することができる。具体的には、作業者が光源ユニット４１（セード８１）を下方に引っ張り出すように力を加えることで、傾斜面７３ｃが屈曲部３３ｂのＶ字部分を乗り越えて、第２係合部７３が内側（フック部７２側）へ弾性変形する。同様に、湾曲部７２ｂが屈曲部３７ｃのＶ字部分を乗り越えて、フック部７２が内側（第２係合部７３側）に弾性変形する。こうして、図１３に示す係合状態から光源ユニット４１を下方へ移動させると、取付バネ７１が弾性変形し、取付バネ７１と取付金具３１の係合状態が外れる。
【００６０】
そして、取付バネ７１と取付金具３１の係合状態が外れると、取付バネ７１は弾性変形した状態から元の形状に復帰し、フック部７２が貫通孔３８を貫通した状態になる。具体的には、取付バネ７１の基部７２ａ側が延出部３２の内側（第２被係合部３３に対向する側）に位置し、取付バネ７１の第１係合部７２ｃ側が延出部３２の外側（第２被係合部３３に対向する側の反対側）に位置している状態になる。
そして、さらに光源ユニット４１が下降することで、湾曲部７２ｂの内周側に引掛部３６が入り込み、フック部７２が引掛部３６に引っ掛かった状態になる。
【００６１】
このようにして、光源ユニット４１を下方に移動させると、図１２に示すようにフック部７２が引掛部３６に引っ掛かり、図１１に示すように光源ユニット４１が本体ユニット２１に対して仮吊りされた状態になる。この後、図１０に示すように引掛部３６からフック部７２を外して、光源ユニット４１を本体ユニット２１から取り外すことができる。このような構成により、作業者が光源ユニット４１を本体ユニット２１から取り外す際に、取付バネ７１と取付金具３１の係合解除後に誤って光源ユニット４１を落下させても、フック部７２が引掛部３６に引っ掛かって仮吊り状態となり、光源ユニット４１が地面に落下することを防ぐことができる。また、このように光源ユニット４１を仮吊り状態にできることで配線作業や修理・点検作業を容易に行うことができる。
【００６２】
フック部７２の湾曲部７２ｂは、図９（ｃ）に示すように、その内周面が曲面状であり、側面視略円形状の空間Ｓ１を有している。例えば、光源ユニット４１を本体ユニット２１から取り外す際に、取付バネ７１と取付金具３１の係合解除後に誤って光源ユニット４１を落下させても、取付金具３１の引掛部３６は空間Ｓ１内を衝突しながら落下時のバウンドを吸収することができ、湾曲部７２ｂは引掛部３６から外れにくい構成となっている。例えば、当該空間Ｓ１が側面視において細長い形状の狭い空間の場合は、光源ユニット４１の短手方向（幅方向）に引掛部３６が移動することができず、光源ユニット４１の落下時のバウンドを吸収することが困難となり、引掛部３６から外れ易くなる。
【００６３】
取付バネ７１は、フック部７２と第２係合部７３を有しているが、それぞれ連結部７４の両端部を固定端とし、フック部７２と第２係合部７３の各上端部を自由端とする片持ちバネを構成している。フック部７２は、湾曲部７２ｂを介して基部７２ａと第１係合部７２ｃとが対向するように形成されているため、板バネの曲げ剛性（曲げ難さ）として第２係合部７３より大きくなる。すなわち、フック部７２は、板バネとして第２係合部７３よりも曲げるのに力を要するように構成される。このように構成することで、取付バネ７１を取付金具３１に係合する際に、曲げ剛性がフック部７２より小さい第２係合部７３が屈曲部３３ｂに当接して先に曲がり始めて、続いてフック部７２（湾曲部７２ｂ）が屈曲部３７ｃに当接して曲がり始める。このように、取付バネ７１のフック部７２と第２係合部７３の曲げ剛性を異なるように構成することで、作業者が取付バネ７１を取付金具３１に係合する際に、大きな力を必要としない。また、取付バネ７１を取付金具３１に係合した場合、フック部７２の第１係合部７２ｃは、フック部７２による比較的大きい曲げ剛性によりしっかりと第１被係合部３７の屈曲部３７ｃに係合されるため、取付バネ７１が取付金具３１から外れにくく、光源ユニット４１が本体ユニット２１に安定して保持される。
【００６４】
図１０に示すように、取付金具３１は、その先端３６ａを本体ユニット２１の凹部２２に収まるように構成してもよい。すなわち、取付金具３１は、その上下方向の高さ寸法Ｈ１（図７参照）を凹部２２の高さ寸法（深さ寸法）Ｄよりも小さく構成してもよい。これにより、取付金具３１が本体ユニット２１の凹部２２から外側に突出しないため、本体ユニット２１の輸送時に取付金具３１が周囲に接触して破損する可能性やガタツキが発生する可能性を低下させることができる。さらに、本体ユニット２１をコンパクトに構成することができ、本体ユニット２１の梱包時の省スペース化が達成できる。
また、図１０に示すように、取付バネ７１は、例えば、その上下方向の高さ寸法Ｈ２を電源装置６１の高さ寸法Ｈ３よりも小さく構成してもよい。これにより、光源ユニット４１をコンパクトに構成することができ、光源ユニット４１の梱包時の省スペース化が達成できる。
【００６５】
本実施形態に係る取付金具３１又は取付バネ７１は、それぞれの連結部３４、７４の中途部（例えば、中央部）で分割（図２２、図２３参照）もしくは分離可能に構成してもよい。これにより、例えば、光源ユニット４１の短手方向の寸法（幅寸法）が変更された場合であっても、分割された取付金具３１又は取付バネ７１を幅寸法に適宜合わせて配置することができる。
【００６６】
取付バネ７１は、一体もしくは分離しているかの構成は問わずに第２係合部７３の代わりにフック部７２を設けて、取付バネが一対のフック部７２を有するように構成してもよい。これにより、取付バネの左右を共通化できるため、作業者が取付バネの取り付け方向を間違うことがなくなる。
【００６７】
また、本実施形態では、光源ユニット４１に取付バネ７１を取り付け、本体ユニット２１に取付金具３１を取り付ける構成としているが、例えば、光源ユニット４１側に取付金具３１を取り付け、本体ユニット２１側に取付バネ７１を取り付ける構成としてもよい。
【００６８】
上述したように、本実施形態の取付金具３１は、本体ユニット２１の上面部２２ａの長手方向の中央に設けられた貫通孔２７を中心に対向し、貫通孔２７から等間隔離間した位置に配置される。また、同様に取付バネ７１も光源ユニット４１の中央部から等間隔離間した位置に配置される。しかし、取付金具３１及びこれに対応する取付バネ７１の取付位置は特に限定するものではない。例えば、一対の取付金具３１及び一対の取付バネ７１の取付位置を照明器具１１の本体ユニット２１及び光源ユニット４１の各長手方向の中央から等間隔ではなく、長手方向において非対称の位置に配置する構成としてもよい。このように構成することにより、作業者が本体ユニット４１に対する光源ユニット４１の取付向きを間違えて取り付けることを防ぐことができる。
【００６９】
また、例えば、本実施形態の取付バネ７１の変形例として、図１４に示す取付バネ７１Ａのように、ビス止め用の貫通孔７５・７５の連結部７４の長手方向の位置を異ならせて、非対称となる位置に配置してもよい。すなわち、連結部７４の中心Ｃを軸として取付バネ７１を１８０度回転させた際に、貫通孔７５・７５の各位置が回転対称とならない位置に貫通孔７５・７５を配置してもよい。このように構成することにより、作業者がベース部材４２における取付バネ７１、取付金具３１の取付向きを間違えて取り付けられることを防ぐことができる。
【００７０】
また、本実施形態では、取付バネ７１のビス止め用の貫通孔７５の位置、すなわちビスの位置を光源部（ＬＥＤモジュール基板）５１の基板５４の位置と重ならないように構成している。これにより、取付バネ７１を固定するためのビスがベース部材４２を貫通したとしても、ビスが基板５４に干渉することを防止できる。ビスが基板５４に干渉することを防止することで、ビスの先端で基板５４が損傷したり、ビスによって基板５４が持ち上げられて基板５４とベース部材４２の接触面積が低下し、光源部５１の放熱性が低下したりすることを防止できる。
【００７１】
また、図１５に示すように、本実施形態の取付金具３１に代えて、本体ユニット２１の凹部２２の一対の側壁部２２ｂに取付バネ７１を取り付ける部分を直接形成する構成にしてもよい。具体的には、一方の側壁部２２ｂにフック部７２を引っ掛ける引掛部２３と、フック部７２の第１係合部７２ｃを係合する被係合部２８を設ける。他方の側壁部２２ｂに、第２係合部７３が係合される第２被係合部２９を設ける。これにより、取付金具３１を省略できるので、部品点数を削減できる。
【００７２】
また、取付バネ７１（本実施形態では、２つの取付バネ７１のうち少なくともいずれか一方）を電源装置６１の電源ケースに一体形成する構成としてもよい。これにより、取付バネ７１を省略できるので、部品点数を削減できる。
【００７３】
以上説明した本実施形態に係る照明器具１１では、本体ユニット２１の凹部２２内に配置される取付金具３１と、光源ユニット４１において光源部５１とは反対側に配置され、取付金具３１に取り付け可能な取付バネ７１と、を備え、光源ユニット４１の取付バネ７１が鉤状のフック部７２を有し、取付金具３１がフック部７２を引っ掛ける引掛部３６を有し、光源ユニット４１を本体ユニット２１の凹部２２から取り外すために離間する方向に移動させた際に、フック部７２が引掛部３６に引っ掛かるように構成されている。すなわち、フック部７２と引掛部３６からなる光源ユニット４１の落下防止構造が本体ユニット２１の凹部２２内に配置されているため、本体ユニット２１の小型化が可能になる。
【００７４】
本実施形態の照明器具１１の形状は一例であり、本実施形態の形状に限定されるものではない。例えば、照明器具１１の形状が細長い形状以外のその他の形状である場合には、それに応じた形状とすることができる。また、光源ユニットを本体ユニットの形状に応じて適宜変形させることも可能である。
【符号の説明】
【００７５】
１１    照明器具
２１    本体ユニット
２２    凹部
３１    取付金具
３６    引掛部
４１    光源ユニット
４２    ベース部材（取付部材）
４２ａ  光源取付部
５１    光源部
６３    配線
７１    取付バネ
７２    フック部
７７    保持部
【図１】
2019160532.tif 000003
【図２】
2019160532.tif 000004
【図３】
2019160532.tif 000005
【図４】
2019160532.tif 000006
【図５】
2019160532.tif 000007
【図６】
2019160532.tif 000008
【図７】
2019160532.tif 000009
【図８】
2019160532.tif 000010
【図９】
2019160532.tif 000011
【図１０】
2019160532.tif 000012
【図１１】
2019160532.tif 000013
【図１２】
2019160532.tif 000014
【図１３】
2019160532.tif 000015
【図１４】
2019160532.tif 000016
【図１５】
2019160532.tif 000017
【図１６】
2019160532.tif 000018
【図１７】
2019160532.tif 000019
【図１８】
2019160532.tif 000020
【図１９】
2019160532.tif 000021
【図２０】
2019160532.tif 000022
【図２１】
2019160532.tif 000023
【図２２】
2019160532.tif 000024
【図２３】
2019160532.tif 000025